(57)【特許請求の範囲】
【請求項１】
頭部装身具に脱着可能であり、頭部装身具への装着時にメガネの蔓を係止すると、メガネを頭部装身具に掛けることができるメガネ掛け具において、
前記メガネ掛け具は裏材と表材を備え、
前記裏材と表材は一本のバネ線材を折り返して形成され、折返し部を支点として互いに離れる方向に拡げると元の形に戻ろうとする戻り弾性力を備え、表材を頭部装身具の下部周縁の表側に、裏材を当該下部周縁の裏側に宛がって当該下部周縁を挟むと、前記戻り弾性力により当該下部周縁が表材と裏材で挟着保持することができ、
前記表材の下側にはリング状に巻かれたスプリング部が形成され、当該スプリング部より上方にメガネの蔓を保持できる蔓係止部が設けられ、
前記表材の上端部は外側広がりに形成されて、前記下部周縁への装着時に頭部装身具から離れて頭部装身具との間にメガネの蔓を出し入れ可能なガイド部が形成されるようにしてある、
ことを特徴とするメガネ掛け具。
【請求項２】
請求項１記載のメガネ掛け具において、
表材であってリング状のスプリング部よりも上側に、下方支持点と上方支持点が上下方向に離れて形成され、
前記下方支持点と上方支持点は頭部装身具の下部周縁への装着時に当該下部周縁の外側に当接できるように内側向きに突設され、
メガネの蔓が収まる蔓係止部が前記下方支持点と上方支持点の間に設けられた、
ことを特徴とするメガネ掛け具。
【請求項３】
請求項１又は請求項２記載のメガネ掛け具において、
裏材の上部に、頭部装身具の折り返された裏地に係止可能なフックを備えた、
ことを特徴とするメガネ掛け具。
【請求項４】
帽子、サンバイザー等の頭部装身具において、
請求項１から請求項３のいずれか１項に記載のメガネ掛け具が、前記メガネ掛け具の裏材と表材で頭部装身具の下部周縁を挟着保持して、頭部装身具の下部周縁の周方向二以上の箇所に取り付けられた、
ことを特徴とするメガネ掛け具付き頭部装身具。
【発明の詳細な説明】
【技術分野】
【０００１】
本願発明は、メガネを使用する者が、帽子、ヘヤバンド、鉢巻、サンバイザーなどの頭部装身具を被って作業する際に、一時外したメガネを掛けるためのメガネ掛け具と、そのメガネ掛け具を備えたメガネ掛け具付き頭部装身具に関するものである。
【背景技術】
【０００２】
工場で作業する際、作業中に頭髪を巻き込まれないため、あるいは汗が流れ落ちるのを抑えるため、帽子、ヘヤバンド、鉢巻、サンバイザーなど（以下、「頭部装身具」という）を被ることがある。また、日曜大工のような作業をする際、あるいは園芸を楽しむ際など屋外で作業する際、日除けのため、あるいは汗が流れ落ちるのを抑えるため、頭部装身具を被ることがある。これら作業時に、老眼鏡やサングラス（以下、「メガネ」という）を掛けることもあるが、このメガネは掛けたり外したりするものであり、頭部装身具を被っている場合、その外したメガネを頭部装身具の鍔の上に載せておくことがある。ところが、頭部装身具の鍔の上に載せたメガネは不安定な状態であり、作業中にメガネを落とすこともあり、その都度メガネを戻さなければならないという面倒があった。
【０００３】
そこで特許文献１のように、作業中でもメガネを頭部装身具に掛けておけるよう、メガネ掛け用の輪奈部材を取り付けた作業用被り物が提案されている。
【先行技術文献】
【特許文献】
【０００４】
【特許文献１】特開２００６−２４９６３４
【発明の概要】
【発明が解決しようとする課題】
【０００５】
本願発明の課題は、下記のような問題点を解決することにある。
（１）作業中、頭部装身具の鍔部分に載せたメガネは不安定な状態となり、メガネを落とすことがある。
（２）特許文献１のメガネ掛け用の輪奈部材は、頭部装身具に縫着固定されているので、他の頭部装身具に転用することができない。
（３）また特許文献１では、縫着固定されているためメガネサイズにあわせて輪奈部材の取り付け位置を調整することができず、種々のメガネに対応することが難しい。
（４）特許文献１では、メガネ掛け用の輪奈部材にメガネを掛けるため、面ファスナによる開閉操作を行う必要があり、他の作業は中断してメガネ掛けを行うという面倒が生じる。
【課題を解決するための手段】
【０００６】
本願発明のメガネ掛け具は、頭部装身具に脱着可能であり、頭部装身具への装着時にメガネの蔓を係止すると、メガネを頭部装身具に掛けることができるメガネ掛け具において、前記メガネ掛け具は裏材と表材を備え、前記裏材と表材は一本のバネ線材を折り返して形成され、折返し部を支点として互いに離れる方向に拡げると元の形に戻ろうとする戻り弾性力を備え、表材を頭部装身具の下部周縁の表側に、裏材を当該下部周縁の裏側に宛がって当該下部周縁を挟むと、前記戻り弾性力により当該下部周縁が表材と裏材で挟着保持することができ、前記表材の下側にはリング状に巻かれたスプリング部が形成され、当該スプリング部より上方にメガネの蔓を保持できる蔓係止部が設けられ、前記表材の上端部は外側広がりに形成されて、前記下部周縁への装着時に頭部装身具から離れて頭部装身具との間にメガネの蔓を出し入れ可能なガイド部が形成されるようにしたものである。
【０００７】
本願発明のメガネ掛け具は、前記メガネ掛け具の表材であってリング状のスプリング部よりも上側に、下方支持点と上方支持点が上下方向に離れて形成され、前記下方支持点と上方支持点は頭部装身具の下部周縁への装着時に当該下部周縁の外側に当接できるように内側向きに突設され、メガネの蔓が収まる蔓係止部が前記下方支持点と上方支持点の間に設けられたものとすることもできる。本願発明のメガネ掛け具は、裏材の上部に、頭部装身具の折り返された裏地に係止可能なフックを備えたものとすることもできる。
【０００８】
本願発明のメガネ掛け具付き頭部装身具は、帽子、サンバイザー等の頭部装身具において、前記いずれかのメガネ掛け具が、前記メガネ掛け具の裏材と表材で頭部装身具の下部周縁を挟着保持して、頭部装身具の下部周縁の周方向二以上の箇所に取り付けられたものである。
【発明の効果】
【０００９】
本願発明のメガネ掛け具は、以下に示す効果がある。
（１）メガネの蔓を係止させる蔓係止部を備えているので、これに係止されたメガネは安定し、安心して作業を行うことができる。
（２）頭部装身具に脱着可能な取り付け部を備えているので、頭部装身具への脱着が容易であり、種々の頭部装身具に転用することができる。
（３）上方からこの蔓係止部まで蔓を案内し得るガイド部を備えているので、容易にメガネをメガネ掛け具に係止させ又は取り外すことができる。
【００１０】
本願発明のメガネ掛け具付き頭部装身具は、以下に示す効果がある。
（１）本願発明のメガネ掛け具があるため、掛けられたメガネは安定し、安心して作業を行うことができるとともに、頭部装身具により作業中に頭髪を巻き込まれず、汗が流れ落ちるのを抑え、日射を避けながら作業を行うことができる。
（２）メガネ掛け具に掛けられたメガネは安定するので、メガネを掛けたままの状態で帽子を収納しておくこともできる。
【図面の簡単な説明】
【００１１】
【図１】本願発明のメガネ掛け具を帽子に取り付け、さらにメガネを掛けた状態の斜視図。
【図２】本願発明のメガネ掛け具の斜視図。
【図３】本願発明のメガネ掛け具を帽子に取り付けた状態の帽子断面図。
【図４】本願発明のメガネ掛け具を帽子に取り付けた状態の斜視図。
【発明を実施するための形態】
【００１２】
（実施形態１）
本願発明のメガネ掛け具及びメガネ掛け具付き頭部装身具の一実施形態を図に基づいて説明する。この実施形態では、鍔付きの帽子にメガネ掛け具を取り付け、これにメガネを掛けた例を説明しているが、本願発明におけるメガネ掛け具付き頭部装身具は鍔付きの帽子に限らず鍔のない帽子、ヘヤバンド、鉢巻、サンバイザーなどの他の頭部装身具であっても構わない。またメガネは、老眼用メガネ、近視用メガネ、乱視用メガネ、サングラスなど、どのような種類のメガネであっても構わないことは言うまでもない。
【００１３】
図１は、帽子１の左右側面に夫々１箇所ずつ本願発明のメガネ掛け具２を取り付け、このメガネ掛け具２が備える蔓係止部３にメガネ４の蔓を係止させることで、メガネ４を帽子１上に掛けた状態を示す図である。この図では、メガネ４のレンズ部分を帽子１の鍔の上に載せているが、メガネ４の左右の蔓はメガネ掛け具２に支えられて安定しているので、必ずしもレンズ部分を帽子１の鍔の上に載せる必要はなく、鍔のない頭部装身具に本願発明のメガネ掛け具２を利用することもできるし、鍔を後方に回して着帽した場合でも利用することができる。
【００１４】
図２は、メガネ掛け具２の斜視図である。このメガネ掛け具２は、１本の線条物で形成され、鉄や他の金属、合金、ゴムなど弾性変形を生じ得る弾性体からなる。メガネ掛け具２は、主に２本の表材５と２本の裏材６からなり、これら表材５と裏材６は折返し部７で折り返されて対向している。２本の表材５の夫々には、順にスプリング部８、下方支持点９、係止頂点１０、上方支持点１１、頂部１２が設けられている。これらは１本の弾性体線条物を加工して作成されているが、２本以上の弾性体線条物を組み合わせて作成してもよいし、板状の弾性体（いわゆる板バネ）を加工して作成してもよいし、その他棒状の弾性体など弾性体であれば任意のもので形成することができる。
【００１５】
図３は、後方から見た帽子１の中央付近の断面図であり、左右２箇所にメガネ掛け具２を取り付けた状態を示す。
メガネ掛け具２は、帽子１の側面を表材５と裏材６で挟持（いわゆるクリップ）することによって取り付けられ、その挟持する力は素材の持つ弾性力を利用したものである。すなわち、折返し部７を支点に表材５と裏材６を拡げるとメガネ掛け具２は蓄勢され、これが弾性力（元の形に戻ろうとする力）となって帽子１の側面を挟持する。
【００１６】
裏材６は略全長に亘って帽子１の裏地１６に接しているが、表材５は折返し部７から下方支持点９までの間と上方支持点１１で帽子１の表地に接している。いわば、帽子１表面側は折返し部７から下方支持点９の間と上方支持点１１で、帽子１裏面側は裏材６で、帽子１の側面を挟持することとなる。
【００１７】
メガネ掛け具２を帽子１から取り外すときは、スプリング部８を摘んで側方に拡げながらメガネ掛け具２を下方に移動させることで取り外すこともできるし、単に帽子１の側面に挟持させたままメガネ掛け具２を下方に滑らせるように移動させて取り外すこともできる。
【００１８】
下方支持点９と上方支持点１１、さらに係止頂点１０と帽子１の表面とで略三角形の空間が形成され、この空間を蔓係止部３としてメガネ４の蔓を係止させることができる。この空間はメガネ４の蔓を収容できる程度の広さを備えており、上方は上方支持点１１で、下方は下方支持点９で閉鎖されているため、蔓係止部３に収容されたメガネ４の蔓は容易に上下から離脱しない。
【００１９】
表材５は、上方支持点１１より上方で帽子１の表面から離れる方向に頂部１２まで伸びたガイド材（上方支持点１１から頂部１２までの間の部材）によって、帽子表面との間に開放された空間ガイド部１３を成している。このガイド部１３は、メガネ４の蔓を蔓係止部３まで円滑に案内し、あるいはメガネ４の蔓を蔓係止部３から円滑に抜き出すために設けられている。
【００２０】
スプリング部８は、これより上方の表材５（スプリング部８〜頂部１２）を弾性変形させるためのものであり、例えばメガネ４の蔓が上方支持点１１と帽子１の表面との間を通過する際には上方支持点１１が側方に拡がるが、蔓の通過後はスプリング部８の効果で再び上方支持点１１は帽子１の表面に接して蔓係止部３の空間を閉鎖する。このようにスプリング部８より上方の表材５（スプリング部８〜頂部１２）のみを弾性変形させることで、スプリング部８より下方の表材５（折返し部７〜スプリング部８）は常に帽子１の表面に接していることとなり、安定して帽子１の側面を挟持することができる。
【００２１】
（実施形態１の使用例）
本実施形態におけるメガネ掛け具及びメガネ掛け具付き頭部装身具の使用例を図１と図３に基づいて説明する。
（１）メガネ４の幅や蔓の長さに合うよう、メガネ掛け具２を帽子１に取り付ける概略位置の見当をつける。
（２）前記概略の取り付け位置で帽子１の側面に、メガネ掛け具２を頂部１２側から表材５と裏材６で挟むように挿入させ、折返し部７が帽子１の側面端部に当接するまでメガネ掛け具２をスライドさせていく。その際、例えばスプリング部８などメガネ掛け具２の一部を摘んで側方に拡げながらスライドさせると、本手順は容易に行える。
（３）上記要領で左右２箇所にメガネ掛け具２を取り付ける。
（４）ガイド材（上方支持点１１〜頂部１２）と帽子１表面で形成されるガイド部１３の中に、上方からメガネ４の蔓を挿入する。
（５）メガネ４の蔓を下方へ引き込むと、このメガネ４の蔓は上方支持点１１まで案内されて移動する。
（６）さらにメガネ４の蔓を下方へ引き込むと、スプリング部８の効果で上方支持点１１は側方（帽子から離れる方向）に移動し、メガネ４の蔓は上方支持点１１と帽子１表面の間を通過する。
（７）メガネ４の蔓が、蔓係止部３の空間内に収容されると、スプリング部８の効果で再び上方支持点１１は帽子１の表面に接して蔓係止部３の空間を閉鎖する。
（８）メガネ４をメガネ掛け具２から取り外すときは、上記とは逆の要領で、メガネ４の蔓を上方に引き上げ、上方支持点１１と帽子１表面の間を通過させて前記ガイド部１３からメガネ４の蔓を抜き取る。
（９）またメガネ掛け具２を帽子１から取り外すときは、帽子１の側面に挟持させたままメガネ掛け具２を下方にスライドさせて行う。その際、例えばスプリング部８などメガネ掛け具２の一部を摘んで側方に拡げながらスライドさせると、本手順は容易に行える。
【００２２】
なお上記使用例に代えて、蔓係止部３の前方から直接メガネ４の蔓を抜き差しするように、メガネ４をメガネ掛け具２から脱着してもよい。また上記使用例では、帽子１の２箇所にメガネ掛け具２を取り付けた例で説明したが、帽子１の１箇所又は３か所以上にメガネ掛け具２を取り付けてもよい。
【００２３】
（実施形態２）
本願発明のメガネ掛け具及びメガネ掛け具付き頭部装身具の他の実施形態を図に基づいて説明する。この実施形態は、弾性力によって挟持させる手段に代えて、フック方式を利用してメガネ掛け具２を帽子１に取り付ける場合を説明するためのものであって、基本的構造等は実施形態１と共通する。
なお、実施形態１ではメガネ掛け具２を弾性体としているが、本実施形態ではフック方式を利用するため必ずしも弾性体とする必要がなく、メガネ４を支えられる強度があれば弾性体に限らず任意のものを使用することができる。
【００２４】
本実施形態の蔓係止部３は、図２に示すように裏材６にフック１４が設けられている。このフック１４は、裏材６をフック頂部１５で折り返して形成されたものである。
【００２５】
例えば図３や図４に示すように、帽子１の裏側に折り返された裏地１６にフック１４を掛けて、帽子１にメガネ掛け具２を取り付けることができる。フック１４の先端には返し部１７（図２）が設けられており、この湾曲した返し部１７が裏地１６に接触する（図３）こととなるので、裏地１６が傷つきにくいという効果がある。
【００２６】
（その他の実施形態）
弾性力による挟持させる手段や、フック方式に限らず、帽子１に対してメガネ掛け具２を脱着させることができるものであれば、他の脱着手段や脱着方式を選択することができる。
【産業上の利用可能性】
【００２７】
本願発明のメガネ掛け具及びメガネ掛け具付き頭部装身具は、工場作業や屋外作業に限らず、医師や看護師が利用したり、屋内事務や学習時に鉢巻を着けて利用したり、スポーツを行う際に利用したり、種々の状況で応用することができる。
【符号の説明】
【００２８】
１  帽子
２  メガネ掛け具
３  蔓係止部
４  メガネ
５  表材
６  裏材
７  折返し部
８  スプリング部
９  下方支持点
１０  係止頂点
１１  上方支持点
１２  頂部
１３  ガイド部
１４  フック
１５  フック頂部
１６  裏地
１７  返し部
【図１】
0005410809.tif 000002
【図２】
0005410809.tif 000003
【図３】
0005410809.tif 000004
【図４】
0005410809.tif 000005